(57)【特許請求の範囲】
【請求項１】
高温の燃焼用空気を供給するバーナスロートと、
前記バーナスロートの内周面に設けた一次燃料供給口と、
前記バーナスロートの外側に該バーナスロートとほぼ平行に設けた二次燃料供給口と、
前記二次燃料供給口の内周面に設けた保炎用空気供給口と、
を備えたことを特徴とする蓄熱式バーナ。
【請求項２】
燃料を一次燃料と二次燃料に分けて供給し、一次燃料と燃焼用空気とはバーナタイル内で混合させながら一次火炎を形成し、二次燃料は燃焼用空気とは別途に供給される保炎用空気と混合させて一次火炎の外周上で保炎を形成し、その後炉内で緩慢燃焼の二次火炎を形成することを特徴とする蓄熱式バーナの燃焼方法。
【請求項３】
一次燃料と二次燃料の比率を変更することにより、長さ方向の火炎温度分布を制御することを特徴とする請求項２記載の蓄熱式バーナの燃焼方法。
【発明の詳細な説明】
【０００１】
【発明の属する技術分野】
本発明は、主として工業用加熱炉に用いられる蓄熱式バーナおよび蓄熱式バーナの燃焼方法に関する。
【０００２】
【従来の技術】
蓄熱式バーナは８００℃を超える高温の燃焼用空気を用いて燃焼を行うものである。燃料と燃焼用空気を同一のバーナタイルに供給した場合には、燃焼排ガス中のＮＯｘ値が非常に高くなる問題が発生する。そこで、従来より、低ＮＯｘ燃焼を行うため、燃料を一次燃料と二次燃料に分けて供給し、一次燃料と燃焼用空気とはバーナタイル内で混合させながら一次火炎を形成し、二次燃料は一次火炎内に残存する酸素により炉内で緩慢燃焼の二次火炎を形成する蓄熱式バーナが提案されている。このような蓄熱式バーナには、例えば、特許公報第２６８３５４５号に開示される技術（以下、従来技術１という）がある。図３にその概要を示す。同図において、１１は炉体、１２は炉内、１３は空気供給口、１４は燃料供給口、１５は低温時用燃料供給口である。
空気供給口１３と燃料供給口１４を距離を持たせて各々独立して炉内１２に開口させ、空気供給口１３内には、低温時用燃料供給口１５を内蔵する構成となっている。
【０００３】
炉内温度が燃料の自己着火温度以下の低温時においては、前記空気供給口１３から燃焼用空気を噴出すると同時に、燃料は前記低温時用燃料供給口１５からのみ噴出させて燃焼させる。炉内温度が燃料の自己着火温度以上の高温に達したときには、前記低温時用燃料供給口１５からの燃料の供給を停止して、燃料供給口１４からのみ燃料を噴射して、炉内１２において再循環流を形成しながら燃焼させる燃焼方法である。
この方法によれば、酸素濃度の低い場での燃焼となり、また、炉内での緩慢燃焼により局部高温のない火炎となり、ＮＯｘ低減効果が得られるとしている。
【０００４】
他には特開平６−１５９６１３号公報に開示される技術（以下、従来技術２という）がある。図４にその概要を示す。同図において、２１は一次燃料供給口、２２は二次燃料供給口、２３はバーナスロートである。
燃焼用空気Ａをバーナスロート２３にほぼ全量供給するとともに、バーナスロート２３内で燃焼用空気の流れの周りから燃焼用空気に向けて一次燃料Ｆ１を噴射して燃焼用空気の流れの周りに一次火炎Ｂ１を形成する一方、この一次火炎Ｂ１の外側でかつバーナスロート２３とほぼ平行に二次燃料Ｆ２を炉内に直接噴射する。一次燃焼ガスと燃焼用空気とが混合した高温の低酸素空気と二次燃料の炉内における混合を緩慢なものとした燃焼方法である。
また、この方法では、炉温が低いときあるいはバーナ立上げ時には一次燃焼割合を多くし、炉温が高いときあるいはバーナ立上げ後には二次燃料割合を多くするものである。
この方法によれば、一次燃料を超空気過剰状態で燃焼させた後、この一次火炎中のＮＯｘを二次燃料で還元し、更にその後炉内において高温の燃焼用空気と二次燃料とを緩慢に混合させて二次燃焼を起こさせることができる。一次火炎は超空気過剰状態での燃焼のためＮＯｘの発生が抑制される上に、二次燃料による還元作用によって更にＮＯｘが低減される。また、二次燃料は高温の燃焼用空気とで安定して緩慢燃焼するため、ＮＯｘの発生が抑制されるとしている。
【０００５】
【発明が解決しようとする課題】
前記従来技術１においては、炉内温度が燃料の着火温度以上となる通常運転時にて、燃料は空気供給口１３とは別の燃料供給口１４から炉内に直接供給される。そのため、燃料と燃焼用空気が炉内で混合し、燃焼を開始するのは、バーナから離れた位置とならざるを得ない。このときの長さ方向の火炎温度分布は図５のようになる。燃料と燃焼用空気が混合するまでのバーナ近傍部約１ｍ以内では温度が低い。燃焼が開始した以降の温度はほぼ一定である。従って、従来技術１では、炉内において被加熱物がバーナ近傍に位置する場合には、バーナ近傍の火炎温度が低いことの影響を受け、被加熱物の加熱温度がバーナ近傍部分が低くなる。そのため、被加熱物を均一な温度に加熱することができない問題がある。
従来技術２においては、炉内温度は従来技術１よりも高くなる。しかしながら、二次燃料が低温状態のまま炉内へ噴射されることにより、バーナ近傍の温度は依然として低い。従来技術２においても被加熱物を均一な温度に加熱することができない問題は解消できていない。
【０００６】
本発明は、かかる問題を解決するためになされたものであり、バーナ近傍の火炎温度を従来よりも上昇せしめることにより、被加熱物がバーナ近傍に位置する場合においても、均一に加熱することができる蓄熱式バーナおよびその燃焼方法を提供することを目的とするものである。
【０００７】
【課題を解決するための手段】
本発明に係る蓄熱式バーナは、高温の燃焼用空気を供給するバーナスロートと、前記バーナスロートの内周面に設けた一次燃料供給口と、前記バーナスロートの外側に該バーナスロートとほぼ平行に設けた二次燃料供給口と、前記二次燃料供給口の内周面に設けた保炎用空気供給口と、を備えたことを特徴とするものである。
【０００８】
また、本発明に係る蓄熱式バーナの燃焼方法は、燃料を一次燃料と二次燃料に分けて供給し、一次燃料と燃焼用空気とはバーナタイル内で混合させながら一次火炎を形成し、二次燃料は燃焼用空気とは別途に供給される保炎用空気と混合させて一次火炎の外周上で保炎を形成し、その後炉内で緩慢燃焼の二次火炎を形成することを特徴とするものである。
この場合において、一次燃料と二次燃料の比率を変更することにより、長さ方向の火炎温度分布を制御する。
【０００９】
本発明においては、高温の燃焼用空気と一次燃料とで形成される一次火炎の外周上にて、二次燃料と保炎用空気をほぼ平行に噴射させることにより保炎を形成するため、バーナ近傍の火炎温度を従来方法に比較して著しく高めることができ、従って、被加熱物をバーナ近傍に配置する場合においても、均一に加熱することができる。
【００１０】
【発明の実施の形態】
以下、本発明の実施の形態を図面を用いて説明する。図１は本発明の蓄熱式バーナの概要を示す断面図である。
この蓄熱式バーナは、高温の燃焼用空気を供給するバーナスロート１の内周面に一次燃料供給口２を設け、バーナスロート１の外側に二次燃料供給口３をほぼ平行に設け、その二次燃料供給口３の内周面に保炎用空気供給口４を設けてなるものである。二次燃料供給口３はバーナスロート１を囲むように複数設けることが好ましい。図中、５はバーナタイル、６は炉体、７は炉内である。
【００１１】
この蓄熱式バーナにおいては、燃料は一次燃料Ｆ１と二次燃料Ｆ２に分けて供給する。バーナスロート１に供給される高温の燃焼用空気Ａ１の周りから一次燃料供給口２より一次燃料Ｆ１を噴射する。高温の燃焼用空気Ａ１と一次燃料Ｆ１は、バーナスロート１から炉内７へ噴射されバーナタイル５内で混合されて、高温の燃焼用空気Ａ１の周りに一次火炎Ｂ１を形成する。一次燃料Ｆ１の噴射は、少なくとも１つ以上のノズル、好ましくはバーナスロート１の内周面上に均等に配置された複数のノズルから行われる。この一次火炎Ｂ１の外側からバーナスロート１とほぼ平行に二次燃料Ｆ２を二次燃料供給口３から噴射する。また、このとき保炎用空気Ａ２を保炎用空気供給口４より噴射する。二次燃料Ｆ２と保炎用空気Ａ２は一次火炎Ｂ１の外周上で混合して保炎Ｂ３を形成する。保炎用空気Ａ２は二次燃料Ｆ２に対応する理論空気量の一部とする。理論空気量の２〜５％程度を供給すれば、十分に火炎を形成することができる。二次燃料Ｆ２のうち、保炎Ｂ３で燃焼しきらなかったものは、一次燃焼で燃焼に寄与しなかった燃焼用空気Ａ１と接触して緩慢に混合され、緩慢燃焼の二次火炎Ｂ２を形成する。ここで、一次燃料Ｆ１と二次燃料Ｆ２の全てが完全燃焼する。燃焼用空気Ａ１が燃料の自己着火温度以上であれば、容易に炉内で二次燃焼を起こすことが可能である。
【００１２】
本発明によれば、二次燃料の炉内への吐出位置に保炎を形成していることで、バーナ近傍において低温のガスが存在しない。従って、従来方法と比較してバーナ近傍部分の火炎温度が高くなる。これにより、炉内にて被加熱物がバーナ近傍に配置される場合においても、被加熱物を均一に加熱することができる。
【００１３】
図２に、本発明方法と従来方法によるバーナの長手方向における火炎温度分布を示す。
従来方法においては、バーナから１ｍの範囲内において火炎温度が特に低い。これに対して、本発明方法によれば、バーナから１ｍの範囲内における火炎温度が大きく上昇していることがわかる。
【００１４】
本発明の他の実施の形態は、上述のように構成した蓄熱式バーナを用いて、さらに一次燃料と二次燃料の投入比率を変化してバーナの火炎温度分布を制御するものである。一次燃料の比率を高くするほど一次火炎Ｂ１が大きくなり、バーナ近傍の温度が高くなる。逆に一次燃料の比率を低くするほど一次火炎Ｂ１が小さくなり、バーナ近傍の温度は低くなる。バーナ近傍の火炎温度を十分高くするのに必要な一次燃料の比率は、燃料および燃焼用空気の吐出流速の影響を受けるため、場合により異なるが、２〜３０％の範囲で十分である。この方法によれば、被加熱物を均一な温度に加熱することが可能である。また、火炎温度分布を任意に調整できることを利用して、被加熱物の傾斜加熱を行うことも可能となる。
【００１５】
【発明の効果】
以上のように、本発明によれば、蓄熱式バーナの長さ方向の火炎温度分布についてバーナ近傍においても十分に高い温度を確保することができる。これは、長さ方向の火炎温度分布の均一性を向上させる意義がある。それゆえ、被加熱物をバーナ近傍に配置した場合においても、被加熱物を均一な温度に加熱することができる。
【図面の簡単な説明】
【図１】本発明の蓄熱式バーナの概要を示す断面図である。
【図２】本発明のバーナの長手方向の火炎温度分布を示す図である。
【図３】従来技術１のバーナの概要図である。
【図４】従来技術２のバーナの概要図である。
【図５】従来技術１のバーナの長手方向の火炎温度分布を示す図である。
【符号の説明】
１  バーナスロート
２  一次燃料供給口
３  二次燃料供給口
４  保炎用空気供給口
５  バーナタイル
６  炉体
７  炉内
【図１】
0003709768.tif 000002
【図２】
0003709768.tif 000003
【図３】
0003709768.tif 000004
【図４】
0003709768.tif 000005
【図５】
0003709768.tif 000006